(57)【特許請求の範囲】
【請求項１】
内圧低下時にトレッド部の裏面側と接触して荷重を支持する中子共にリムに装着される空気入りタイヤであって、
左右１対のビードコアと、
前記１対のビードコアにトロイド状に跨るカーカスと、
前記カーカスの内側に形成されたゴムのみからなる内面ゴム層と、
前記カーカスのタイヤ径方向外側に配置された補強層と、
前記補強層のタイヤ径方向外側に配置されたトレッド部と、
を備え、
前記内面ゴム層は、タイヤ赤道面からトレッド幅方向外側へ前記トレッド部の接地幅の１／４の距離離間した１／４点を通って前記カーカスに対して垂直とされる第１の法線と、タイヤ最大幅部を通って前記カーカスに対して垂直とされる第２の法線との間の少なくとも一部の第１のゲージが、他の部分における第２のゲージよりも厚く設定されており、
少なくとも前記中子と接触する内周面に、前記中子との摩擦を減少させる潤滑剤が配置されている、ことを特徴とする空気入りタイヤ。
【請求項２】
前記第１のゲージが、前記第２のゲージに対して１１０〜２５０％の範囲内に設定されている、ことを特徴とする請求項１に記載の空気入りタイヤ。
【請求項３】
前記内面ゴム層は、タイヤ内周面全体に配置され、他のゴムよりも気体を通し難い材料からなるインナーライナーを備えており、前記第１のゲージ、及び前記第２のゲージは前記インナーライナーのゲージである、ことを特徴とする請求項１または請求項２に記載の空気入りタイヤ。
【請求項４】
前記内面ゴム層は、タイヤ内周面全体に配置され、他のゴムよりも気体を通し難い材料からなるインナーライナーと、前記第１の法線と前記第２の法線との間で、かつ前記カーカスと前記インナーライナーとの間に配置される補強ゴム層とを備えている、ことを特徴とする請求項１または請求項２に記載の空気入りタイヤ。
【請求項５】
請求項１〜請求項４の何れか１項に記載の空気入りタイヤと、
前記空気入りタイヤの内腔部分に配置され、内圧低下時に荷重を支持する環状の中子と、をリムに装着した、ことを特徴とするランフラットタイヤ・リムホイール組立体。
【請求項６】
前記中子には、少なくとも前記空気入りタイヤの内周面と接触する部分に、前記空気入りタイヤとの摩擦を減少させる潤滑剤が配置されている、ことを特徴とする請求項５に記載のランフラットタイヤ・リムホイール組立体。
【発明の詳細な説明】
【技術分野】
【０００１】
本発明は、内圧低下時にトレッド部の裏面側と接触して荷重を支持する中子共にリムに装着される空気入りタイヤ、及び中子タイプのランフラットタイヤ・リムホイール組立体に係り、特に、ランフラット走行距離を延ばすことのできる空気入りタイヤ、及びランフラットタイヤ・リムホイール組立体に関する。
【背景技術】
【０００２】
ランフラットタイヤ・リムホイール組立体（一般的に、安全タイヤ、ランフラットタイヤとも呼ばれる）としては、リムに空気入りタイヤを装着し、そのタイヤ内部に中子を設けたものが知られている（例えば、特許文献１。）。
【０００３】
タイヤ内部に中子を設けた従来のランフラットタイヤ・リムホイール組立体では、タイヤが破損して中子によって荷重（車両重量）を支承して走行する際に、タイヤ内面と中子が擦れ合ってタイヤ内面が損傷し、ついにはカーカスプライが損傷して空気入りタイヤが破壊される場合があった。
【０００４】
このような問題を解消するために、空気入りタイヤと中子の間に潤滑剤を介在させる方法がある（例えば、特許文献２。）。空気入りタイヤと中子の間に潤滑剤を介在させることにより、ランフラット走行時の空気入りタイヤと中子の接触によるタイヤ内面の摩擦、摩滅が低減される。したがって、空気入りタイヤと中子の間に潤滑剤を介在させれば、潤滑剤を使用しない場合に比較してランフラット状態で走行することの出来る距離を長くすることが出来る。
【特許文献１】特開平１０−２７８５０３
【特許文献２】特開２００３−３２６９２５
【発明の開示】
【発明が解決しようとする課題】
【０００５】
しかしながら、トラック、バス等の装輪式車両は、荷重が重く、タイヤ内面の摩滅の進行が早いことから、潤滑剤を使用するだけではランフラット状態で走行できる距離が十分ではなかった。
本発明は、上記事実を考慮し、ランフラット状態で走行できる距離を十分に確保可能な空気入りタイヤ、及びランフラットタイヤ・リム組立体を提供することを目的とする。
【課題を解決するための手段】
【０００６】
タイヤ内面にカーカスプライが露出するまでの走行距離を伸ばすには、中子の外周面と対向しているタイヤ赤道面付近のインナーライナーの厚みを厚くすれば良いと考えたが、発明者が、ランフラット走行時のランフラットタイヤ・リム組立体を調べると共に、種々の実験を行った結果、タイヤ赤道面付近のインナーライナーの厚みを厚くするのでは無く、ある範囲の厚みを厚くしなければ効果が無いことが判明した。
【０００７】
走行時の空気入りタイヤには、ステアリングを切った場合に横力が作用する。通常の走行では、横力が作用してもトレッド部が幅方向に大きく変位することは無いが、内圧が低下して潰れた空気入りタイヤは、横方向の剛性が大幅に低下するため、横力によりトレッド部が横方向に大きくずれ、中子の外周面が、タイヤのタイヤ赤道面付近では無く、主に、タイヤ赤道面からトレッド幅方向外側へトレッド部の接地幅の１／４の距離離間した１／４点〜タイヤ最大幅部との間に接触することが分かった。また、次のステアリング操作まで、トレッド部が横方向に大きくずれたままになることが多いことが分かった。
また、走行時の空気入りタイヤには、トレッド部の内側にある補強層（ベルト等）の影響によってプライステアと呼ばれる横力が作用する。内圧が低下して潰れた空気入りタイヤは、横方向の剛性が大幅に低下するため、直進時であっても空気入りタイヤ自身のプライステアに起因してトレッド部が横方向にずれることがある。
【０００８】
請求項１に記載の発明は上記事実に鑑みてなされたものであって、内圧低下時にトレッド部の裏面側と接触して荷重を支持する中子共にリムに装着される空気入りタイヤであって、左右１対のビードコアと、前記１対のビードコアにトロイド状に跨るカーカスと、前記カーカスの内側に形成されたゴムのみからなる内面ゴム層と、前記カーカスのタイヤ径方向外側に配置された補強層と、前記補強層のタイヤ径方向外側に配置されたトレッド部と、を備え、前記内面ゴム層は、タイヤ赤道面からトレッド幅方向外側へ前記トレッド部の接地幅の１／４の距離離間した１／４点を通って前記カーカスに対して垂直とされる第１の法線と、タイヤ最大幅部を通って前記カーカスに対して垂直とされる第２の法線との間の少なくとも一部の第１のゲージが、他の部分における第２のゲージよりも厚く設定されており、少なくとも前記中子と接触する内周面に、前記中子との摩擦を減少させる潤滑剤が配置されている、ことを特徴としている。
【０００９】
次に、請求項１に記載の空気入りタイヤの作用を説明する。
この空気入りタイヤが、中子と共にリムに装着され走行に供され、空気入りタイヤがパンク等して内圧が低下した場合、空気入りタイヤは潰れてトレッド部の内面側が中子の外周に当接して中子が荷重を支持するので、空気入りタイヤはパンクしても走行することが可能、即ち、ランフラット走行が可能となる。
【００１０】
ランフラット走行時においては、空気入りタイヤ自身のプライステアに起因してトレッド部が横方向にずれ、中子の外周面が、主に第１の法線と第２の法線との間のタイヤ内面に接触するが、この第１の法線と第２の法線との間における内面ゴム層の第１のゲージが、他の部分における第２のゲージよりも厚く設定されているため、ランフラット走行時にタイヤ内面と中子との摩擦により、カーカスがタイヤ内面に露出するまでのランフラット状態での走行距離を延ばすことが出来る。したがって、従来の空気入りタイヤに比較してランフラット状態での走行距離を延ばすことが出来る。
【００１１】
ここで、「接地幅」とは、タイヤを適用リムに装着し、規定の空気圧とし、静止した状態で平板に対し垂直に置き、規定の質量に対応する負荷を加えたときの平板との接触面におけるタイヤ軸方向最大直線距離をいい、日本では、２００７年度ＪＡＴＭＡ  ＹＥＡＲ  ＢＯＯＫに従い、該タイヤを標準リムに装着し、適用サイズ・プライレーティングにおける最大負荷能力およびこれに対応する空気圧（最大空気圧）としたときのものを基準とする。また、「タイヤ最大幅部」とは、ＪＡＴＭＡ  ＹＥＡＲ  ＢＯＯＫでの断面幅となる部分である。
なお、使用地又は製造地において、ＴＲＡ規格、ＥＴＲＴＯ規格が適用される場合は各々の規格に従う。
また、ランフラット走行時には、空気入りタイヤの内周面と中子の外周面との摩擦が、潤滑剤の作用により減少するので、内面ゴム層の摩耗が少なくなり、カーカスがタイヤ内面に露出するまでのランフラット状態での走行距離を更に延ばすことが出来る。
【００１２】
請求項２に記載の発明は、請求項１に記載の空気入りタイヤにおいて、前記第１のゲージが、前記第２のゲージに対して１１０〜２５０％の範囲内に設定されている、ことを特徴としている。
【００１３】
次に、請求項２に記載の空気入りタイヤの作用を説明する。
第１のゲージが、第２のゲージに対して１１０％未満では、カーカスがタイヤ内面に露出するまでのランフラット状態での走行距離を十分に延ばすことが出来ない。
一方、第１のゲージが、第２のゲージに対して２５０％を超えると、カーカスがタイヤ内面に露出するまでのランフラット状態での走行距離を延ばすことは出来るが、必要以上に走行距離が延びるだけであり、材料費が無駄となり、また、タイヤ重量も増加する。
【００１４】
請求項３に記載の発明は、請求項１または請求項２に記載の空気入りタイヤにおいて、前記内面ゴム層は、タイヤ内周面全体に配置され、他のゴムよりも気体を通し難い材料からなるインナーライナーを備えており、前記第１のゲージ、及び前記第２のゲージは前記インナーライナーのゲージである、ことを特徴としている。
【００１５】
次に、請求項３に記載の空気入りタイヤの作用を説明する。
請求項３に記載の空気入りタイヤでは、インナーライナーのゲージを部分的に増やすだけであるため、従来のタイヤの製造方法と変わらない方法で空気入りタイヤを製造することができ、製造コスト（部材費は若干増える）は従来通りに抑えることができる。
【００１６】
請求項４に記載の発明は、請求項１または請求項２に記載の空気入りタイヤにおいて、前記内面ゴム層は、タイヤ内周面全体に配置され、他のゴムよりも気体を通し難い材料からなるインナーライナーと、前記第１の法線と前記第２の法線との間で、かつ前記カーカスと前記インナーライナーとの間に配置される補強ゴム層を備えている、ことを特徴としている。
【００１７】
次に、請求項４に記載の空気入りタイヤの作用を説明する。
第１の法線と前記第２の法線との間に補強ゴム層を配置することで、インナーライナーとしては一定厚さの通常のものを使用することができ、内面ゴム層の第１のゲージを他の部分の第２のゲージよりも簡単に増加させることができる。
【００２０】
請求項５に記載のランフラットタイヤ・リムホイール組立体は、請求項１〜請求項５の何れか１項に記載の空気入りタイヤと、前記空気入りタイヤの内腔部分に配置され、内圧低下時に荷重を支持する環状の中子と、をリムに装着した、ことを特徴としている。
【００２１】
次に、請求項５に記載のランフラットタイヤ・リムホイール組立体の作用を説明する。
請求項５に記載のランフラットタイヤ・リムホイール組立体では、空気入りタイヤがパンク等して内圧が低下した場合、空気入りタイヤは潰れてトレッド部の内面側が中子の外周に当接して中子が荷重を支持するので、空気入りタイヤはパンクしても走行することが可能、即ち、ランフラット走行が可能となる。
【００２２】
ランフラット走行時においては、空気入りタイヤ自身のプライステアに起因してトレッド部が横方向にずれ、中子の外周面が、主に第１の法線と第２の法線との間に接触するが、この第１の法線と第２の法線との間における内面ゴム層の第１のゲージが、他の部分における第２のゲージよりも厚く設定されているため、ランフラット走行時にタイヤ内面と中子との摩擦により、カーカスがタイヤ内面に露出するまでのランフラット状態での走行距離を延ばすことが出来る。したがって、従来の空気入りタイヤに比較してランフラット状態での走行距離を延ばすことが出来る。
【００２３】
請求項６に記載の発明は、請求項５に記載のランフラットタイヤ・リムホイール組立体において、前記中子には、少なくとも前記空気入りタイヤの内周面と接触する部分に、前記空気入りタイヤとの摩擦を減少させる潤滑剤が配置されている、ことを特徴としている。
【００２４】
次に、請求項６に記載のランフラットタイヤ・リムホイール組立体の作用を説明する。
ランフラット走行時には、空気入りタイヤの内周面と中子の外周面との摩擦が、潤滑剤の作用により減少するので、内面ゴム層の摩耗が少なくなり、カーカスがタイヤ内面に露出するまでのランフラット状態での走行距離を更に延ばすことが出来る。
【発明の効果】
【００２５】
以上説明したように本発明の空気入りタイヤ、及びランフラットタイヤ・リムホイール組立体によれば、従来に比較してランフラット状態での走行距離を延ばすことが出来る、という効果がある。
【発明を実施するための最良の形態】
【００２６】
［第１の実施形態］
以下、本発明の第１の実施形態に係る空気入りタイヤ１０を図１にしたがって説明する。
図１には、本実施形態の空気入りタイヤ１０と中子３２をリム３４に装着したランフラットタイヤ・リムホイール組立体３６が示されている。中子３２は環状に形成され、リム３４の幅方向中央部分に装着されている。
【００２７】
本実施形態の空気入りタイヤ１０は、ＪＡＴＭＡ規格で規定されているトラック及びバス用タイヤであり、左右１対のビードコア１２を備えている。
このビードコア１２間には、カーカス１４がトロイド状に跨っており、カーカス１４の端部はビードコア１２をタイヤ外側に折り返されている。
【００２８】
カーカス１４のタイヤ径方向外側には、複数枚のベルトプライからなるベルト層１８が配置されている。ベルトプライは、複数本のコードを互いに平行に並べてゴム被覆した公知の構成であり、コードは、タイヤ赤道面ＣＬに対して傾斜している。また、隣接するベルトプライでは、コードの傾斜方向がタイヤ赤道面ＣＬに対して反対方向とされている。
ベルト層１８のタイヤ径方向外側には、トレッド部２０を構成するトレッドゴム２２が配置されている。
【００２９】
カーカス１４の内面側には内面ゴム層２４が設けられている。本実施形態の内面ゴム層２４は、インナーライナー２６と、補強ゴム層３０とから構成されており、インナーライナー２６は最内側に配置されており、補強ゴム層３０はインナーライナー２６とカーカス１４との間に配置されている。
なお、補強ゴム層３０のゴム種は特に限定されない。
【００３０】
本実施形態の補強ゴム層３０は、タイヤ赤道面ＣＬからトレッド幅方向外側へトレッド部２０の接地幅ＴＷの１／４の距離離間した１／４点Ｐ１を通ってカーカス１４に対して垂直とされる第１の法線Ｌ１と、タイヤ最大幅部（ＪＡＴＭＡでの断面幅（図１のＳＷ））Ｐ２を通ってカーカス１４に対して垂直とされる第２の法線Ｌ２との間に配置されている。
【００３１】
補強ゴム層３０は、インナーライナー２６とは異なるゴムで形成されており、タイヤ赤道面ＣＬ側、及びビード部側へ向けて徐々に厚さが漸減している。なお、補強ゴム層３０は周方向に連続して設けられているが、周方向にゲージは変化していない。
一方、本実施形態のインナーライナー２６は、一定厚さに設定されている。
【００３２】
本実施形態の空気入りタイヤ１０では、このような補強ゴム層３０をカーカス１４の内面側に配置しているので、第１の法線Ｌ１と第２の法線Ｌ２との間における内面ゴム層２４の第１のゲージＧ１が、第１の法線Ｌ１と第２の法線Ｌ２との間以外の部分における内面ゴム層２４の第２のゲージＧ２よりも厚くなっている。
なお、第１のゲージＧ１は、第２のゲージＧ２に対して１１０〜２５０％の範囲内に設定することが好ましい。
【００３３】
（作用）
ランフラットタイヤ・リムホイール組立体３６を車両に装着して走行に供した状態で、空気入りタイヤ１０がパンク等して内圧が低下すると、図２の２点鎖線で示す様に、空気入りタイヤ１０が潰れ、中子３２と路面３８との間にトレッド部２０が挟まれた状態となり、タイヤ内面が中子３２の外周面に接触して中子３２が荷重を支持する。
【００３４】
ところで、ランフラット走行をすると、車両直進時であっても、空気入りタイヤ１０は自身のプライステアに起因して図２の２点鎖線で示すようにトレッド部２０が横方向にずれ、中子３２の外周面が、主に補強ゴム層３０の配置されているタイヤ内面（図１に示す第１の法線Ｌ１と第２の法線Ｌ２との間のタイヤ内面）に接触する。
【００３５】
本実施形態の空気入りタイヤ１０では、補強ゴム層３０の配置されている部分（第１の法線Ｌ１と第２の法線Ｌ２との間）における内面ゴム層２４の第１のゲージＧ１が、他の部分における内面ゴム層２４の第２のゲージＧ２よりも厚く設定されているため、ランフラット走行時にタイヤ内面と中子３２との摩擦により、カーカス１４がタイヤ内面に露出するまでのランフラット状態での走行距離を延ばすことが出来る。
【００３６】
なお、プライステアは、車両に装着すればタイヤ毎に決まった方向に作用するため、プライステアのことだけを考慮すれば、厚くすべき第１のゲージＧ１は、タイヤ赤道面ＣＬの片側だけで良いが、ランフラット走行時においては、空気入りタイヤ１０の横剛性が極端に低下するため、例えば、車両が左側へ曲る際にはトレッド部２０は右側へ寄ってしまい、右側へ曲る際にはトレッド部２０は左側へ寄ってしまう。したがって、厚くすべき第１のゲージＧ１は、タイヤ赤道面ＣＬの両側とすることが好ましい。
【００３７】
本実施形態の空気入りタイヤ１０では、第１の法線Ｌ１と第２の法線Ｌ２との間に補強ゴム層３０を配置することで、インナーライナー２６としては一定厚さの通常のものを使用することができ、内面ゴム層２４の第１のゲージＧ１を他の部分の第２のゲージＧ２よりも簡単に増加させることができる。
【００３８】
ここで、第１のゲージＧ１が第２のゲージＧ２に対して１１０％未満では、カーカス１４がタイヤ内面に露出するまでのランフラット状態での走行距離を十分に延ばすことが出来ない。一方、第１のゲージＧ１が第２のゲージＧ２に対して２５０％を超えると、カーカス１４がタイヤ内面に露出するまでのランフラット状態での走行距離を延ばすことは出来るが、必要以上に走行距離が延びるだけであり、材料費が無駄となり、また、タイヤ重量も増加する。
【００３９】
［第２の実施形態］
以下、本発明の第２の実施形態に係る空気入りタイヤ１０を図３にしたがって説明する。なお、第１の実施形態と同一構成には同一符号を付し、その説明は省略する。
第１の本実施形態では、カーカス１４とインナーライナー２６との間に補強ゴム層３０を配置したが、第２の実施形態では、図３に示すように、補強ゴム層３０をインナーライナー２６の内面側（タイヤの内腔側）に配置している。
【００４０】
本実施形態の空気入りタイヤ１０においても、補強ゴム層３０の配置されている部分における内面ゴム層２４の第１のゲージＧ１が、他の部分における内面ゴム層２４の第２のゲージＧ２よりも厚く設定されているため、ランフラット走行時にタイヤ内面と中子３２との摩擦により、カーカス１４がタイヤ内面に露出するまでのランフラット状態での走行距離を延ばすことが出来る。
【００４１】
［第３の実施形態］
以下、本発明の第３の実施形態に係る空気入りタイヤ１０を図４にしたがって説明する。なお、第１の実施形態と同一構成には同一符号を付し、その説明は省略する。
図４に示すように、本実施形態の空気入りタイヤ１０は、カーカス１４とインナーライナー２６との間に補強ゴム層３０が設けられておらず、その代わりに、インナーライナー２６のゲージが、第１の法線Ｌ１と第２の法線Ｌ２との間において、第１の法線Ｌ１と第２の法線Ｌ２との間以外の他の部分よりも厚く形成されている。
【００４２】
本実施形態の空気入りタイヤ１０では、インナーライナー２６のゲージを部分的に増やしているだけであるため、ゴム部材の種類も増えず、従来のタイヤの製造方法と変わらない方法で空気入りタイヤ１０を製造することができるため、製造コストを従来通りに抑えることができる。
【００４３】
［その他の実施形態］
ランフラットタイヤ・リムホイール組立体３６では、中子３２の外面の内、ランフラット走行時に、少なくとも空気入りタイヤ１０の内面と接触する部分に、空気入りタイヤ１０との摩擦を減少させるための潤滑剤が配置しても良い。また、空気入りタイヤ１０の内面の内、ランフラット走行時に、少なくとも中子３２と接触する部分に、潤滑剤を配置しても良い。これにより、ランフラット走行時において、空気入りタイヤ１０の内周面と中子３２の外周面との摩擦が潤滑剤の作用により減少し、内面ゴム層２４の摩耗が少なくなり、カーカス１４がタイヤ内面に露出するまでのランフラット状態での走行距離を更に延ばすことが出来る。
潤滑剤としては、シリコーン系、ポリエチレングリコール系、炭化水素系、エーテル系、アロマー系、フッ素グリース、２硫化モリブデン等を使用することができるが、耐熱性に優れ、タイヤゴム等に対する劣化などが極めて少ない、例えば、シリコーンオイル、ポリオキシエチレンポリオキシプロピレングリコール化合物等を用いることが好ましい。
【００４４】
上記実施形態の空気入りタイヤ１０は、トラック及びバス用タイヤであったが、本発明は、トラック及びバス用タイヤに限らず、建設車両用タイヤ、産業車両用タイヤ、小型トラック用タイヤ、軽トラック用タイヤ、乗用車用タイヤ等、他の種類のタイヤにおいても適用できることは勿論である。
【００４５】
また、上記実施形態の中子は、タイヤ回転軸に沿った断面で見た時に、タイヤ内面の１箇所のみ接触する一山タイプの物であったが、中子はタイヤ内面の２箇所で接触する二山（または３山以上）タイプの物であっても良い。
【００４６】
（試験例）
次に、内面ゴム層のゲージを種々変更した試作タイヤを製造し、ランフラット走行性能の比較を行った。
試作タイヤのサイズは、３６５／８０Ｒ２０である。
従来例のタイヤ：インナーライナーのゲージが４．１ｍｍで一定。
実施例１のタイヤ：内面ゴム層は、タイヤ赤道面からビード部側へタイヤ内面に沿った距離で６０〜１２０ｍｍの範囲のゴムゲージが、他の部分のゴムゲージよりも最大で０．９ｍｍ厚く形成されている（内面ゴム層のゴムゲージの最大値としては５．０ｍｍ）。
実施例２のタイヤ：内面ゴム層は、タイヤ赤道面からビード部側へタイヤ内面に沿った距離で６０〜１２０ｍｍの範囲のゴムゲージが、他の部分のゴムゲージよりも最大で２．９ｍｍ厚く形成されている（内面ゴム層のゴムゲージの最大値としては７．０ｍｍ）。
なお、実施例のタイヤでは、インナーライナーとカーカスとの間に補強ゴム層を配置することで、内面ゴム層を部分的に厚くしている（第１図参照。）。
【００４７】
試験は、試作タイヤを軸形式２−２−Ｂ−Ｂの車両に装着し、車両の左側のタイヤは規定の内圧とし、右側のタイヤは０ｋＰａとした。なお、タイヤ１本当たりの荷重は、３０ｋＮであった。試作タイヤを装着した車両を、タイヤが故障するまで３０ｋｍ／ｈで走行させ、ランフラット走行距離を測定した。
以下の表１に試験結果を示す。
【００４８】
【表１】
0005166044.tif 000002
【００４９】
試験の結果、タイヤ赤道面からビード部側へタイヤ内面に沿った距離で６０〜１２０ｍｍの範囲の内面ゴム層のゲージを他の部分よりも厚くした実施例１，２のタイヤでは、内面ゴム層を一定厚さとした従来例のタイヤに比較してランフラット走行距離を伸ばせることが分かった。
【図面の簡単な説明】
【００５０】
【図１】本発明の第１の実施形態に係るランフラットタイヤ・リム組立体の断面図である。
【図２】無負荷時、及びランフラット走行時のランフラットタイヤ・リム組立体を示す断面図である。
【図３】本発明の第２の実施形態に係るランフラットタイヤ・リム組立体の断面図である。
【図４】本発明の第３の実施形態に係るランフラットタイヤ・リム組立体の断面図である。
【符号の説明】
【００５１】
１０        空気入りタイヤ
１２        ビードコア
１４        カーカス
１８        ベルト
２６        インナーライナー
２０        トレッド部
２４        内面ゴム層
３０        補強ゴム層
３６        ランフラットタイヤ・リム組立体
【図１】
0005166044.tif 000003
【図２】
0005166044.tif 000004
【図３】
0005166044.tif 000005
【図４】
0005166044.tif 000006